(57)【要約】      （修正有）【課題】顔等を覆わないで、太陽の紫外線（ＵＶＢ）をカットして身体に悪影響のない紫外線遮蔽装置を提供する。【解決手段】頭の上方を覆う日射遮蔽体の周縁に略下向きに発光するＬＥＤ半導体１０を設け、このＬＥＤ半導体１０の発光により、太陽からの有害な紫外線を遮断する構成である。【選択図】図１
2011078714.tif 000002
【特許請求の範囲】
【請求項１】
頭の上方を覆う日射遮蔽体の周縁に略下向きに発光するＬＥＤ半導体を設けたことを特徴とする紫外線遮蔽装置。
【請求項２】
前記日射遮蔽体から前記ＬＥＤ半導体を着脱自在に設けたことを特徴とする請求項１記載の紫外線遮蔽装置。
【請求項３】
前記日射遮蔽体に前記ＬＥＤ半導体を発光させる電源を備えることを特徴とする請求項１記載の紫外線遮蔽装置。
【請求項４】
前記電源を太陽電池としたことを特徴とする請求項３記載の紫外線遮蔽装置。
【発明の詳細な説明】
【技術分野】
【０００１】  本発明は、太陽からの紫外線をカットする紫外線遮蔽装置に関する。
【背景技術】
【０００２】  近年の温暖化によりオゾン層が破壊されるなどで環境が悪化し、太陽からの紫外線が増え人体への影響が問題となっている。
特に、波長２８０ｎｍ〜３１５ｎｍの紫外線（ＵＶＢ）は皮膚がんや白内障を発症するなど、日常生活において支障を来たすことが多くなっている。【０００３】  そこで、太陽からの紫外線が多い天候の場合は、帽子を被り日傘を差して、その上にサングラスを掛けて外出する等の方法をとっていたが、この方法では紫外線を十分にカット出来なかった。【０００４】  このため、特許文献１に開示された太陽からの紫外線をカットする網目布を頭からかぶり、顔を覆うものも考えられているが、これでは視界が狭まり転倒して怪我をしたり、風通が悪くて汗疹し、その上白内障を発症するなどの２次被害を起こすことになる。【０００５】
【先行技術文献】
【特許文献】
【０００６】
【特許文献１】特開２００７−１１９９８７号
【発明の概要】
【発明が解決しようとする課題】
【０００７】  そこで、この発明は顔を覆わないで、太陽の紫外線（ＵＶＢ）をカットして身体に悪影響のない紫外線遮蔽装置を提供することを課題とする。
【課題を解決するための手段】
【０００８】  この発明は、上記課題を解決するために、頭の上方を覆う日射遮蔽体の周縁に略下向きに発光するＬＥＤ半導体を設けたことを特徴とし、これによれば、太陽からの紫外線がＬＥＤ半導体の発光に遮られて顔などの身体に紫外線が照射されることが防げる。【０００９】  また、この発明では日射遮蔽体に設けたＬＥＤ半導体を着脱自在に設けたことにより、ＬＥＤ半導体が破損した際、容易に交換を行うことができる。【００１０】  さらに、この発明ではＬＥＤ半導体を発光させる電源を日射遮蔽体に設けたので、ＬＥＤ半導体と電源との電気的接続が簡単で、携帯が便利になる。【００１１】  この発明では電源を太陽電池として日射遮蔽体の外側に設けるので、効率の良い電源を得ることができる。
【発明の効果】
【００１２】  頭や顔を覆うことなく太陽からの紫外線をカットでき、皮膚炎とか白内障の発症を抑えることができ、しかも、ＬＥＤ半導体を発光させる電源が太陽発電パネルから得ることができ、環境、省エネが向上することになる。
【図面の簡単な説明】
【００１３】
【図１】この発明の実施形態１に係る傘の正面図である。
【図２】傘のハンドルの正面図である。
【図３】傘内の電気的配線の説明図である。
【図４】実施形態２に係る帽子の斜視図である。
【図５】帽子から外したＬＥＤ半導体の平面図である。
【発明を実施するための形態】
【００１４】［実施形態１］
次に、この発明の実施形態１に係る紫外線遮蔽装置について図１から図３を参照して説明する。
【００１５】  日射遮蔽体は図１に示すように、頭の上方を覆う傘１からなり、この傘１は中空状の支柱２の先端に設けた石突３に複数の主骨５が開閉可能に連結され、主骨５に布又はビニール製のシート４が張られた構成である。
【００１６】  前記主骨５の先端の露先６に３６５ｎｍ〜３７０ｎｍの波長を有する略下向きに発光するＬＥＤ半導体１０を設ける。このＬＥＤ半導体１０は前記露先６に直接固定してもよいが、前記ＬＥＤ半導体１０の基部１１に接続パイプ１２を理没して、これを前記露先８に差込み着脱自在に設けることができる。この場合、砲弾型のＬＥＤ半導体が適している。
【００１７】  前記中空状の支柱２の他端に有したハンドル７には図２に示すように、前記ＬＥＤ半導体１０の電源となる電池８が収納される。この電池８はＬＥＤ半導体一個当りの容量として３．６〜３．８Ｖが適している。前記支柱２内から前記主骨５を通して前記ＬＥＤ半導体１０に電気コード９が配線される。なお、１３は前記電池８と前記ＬＥＤ半導体１０の間に設けたスイッチである。
【００１８】  また、前記石突３に太陽電池パネル１５を装着して、これを電源として前記ＬＥＤ半導体１０を発光させてもよい。この場合、太陽光がないと太陽電池パネル１５は作動しないので、前記スイッチ１３は省略できる。
【００１９】［実施形態２］
この発明の実施態様２に係る紫外線遮蔽装置について図４、図５を参照して説明する。
【００２０】  日射遮蔽体は図４に示すように、頭を覆う帽子１６からなり、この帽子１６は外周に鍔１７を有し、この鍔１７の外周縁１８に下向きに発光するＬＥＤ半導体２０を複数設ける。
【００２１】  前記帽子１６の鍔１７に直接ＬＥＤ半導体２０を設けてもよいが、図５に示すようにリング状の基板２１に一個当り３６５ｎｍ〜３７０ｎｍの波長により発光する前記ＬＥＤ半導体２０を取り付けて、この基板２１と前記帽子１６の鍔１７の外周縁にマジックテープ２２を介在して、前記帽子１６の鍔１７から前記ＬＥＤ半導体２０の基板２１を着脱自在に取り付けてもよい。
【００２２】  また、前記帽子１６の頂部１９に太陽電池パネル２３を装着して前記ＬＥＤ半導体２０の電源とし、ＬＥＤ半導体２０の一個当りの容量は３．６〜３．８Ｖが適している。前記ＬＥＤ半導体２０は表面実装型でも砲弾型でもよいが、帽子のデザインを優先するなら表面実装型が取り扱い易い。
【００２３】  前記太陽電池パネル２３の換わりにアルカリ電池を傘１のハンドル７内とか、帽子１６の頂部１９の裏側に設けても良い。この場合、アルカリ電池が露出しないので外観が向上する。
【００２４】  前記ＬＥＤ半導体１０、２０は傘１とか、帽子１６の外周に多数設けてもよいが、ＬＥＤ半導体１０、２０をレンズにより囲むことにより少ないＬＥＤ半導体で発光範囲が広くできる。
【符号の説明】
【００２５】１      傘
２      支柱
３      石突
４      シート
５      主骨
６      露先
７      ハンドル
８      電池
９      電気コード
１０．２０      ＬＥＤ半導体
１１      基部
１２      接続パイプ
１３      スイッチ
１５．２３      太陽電池パネル
１６      帽子
１７      鍔
１８      周縁
１９      頂部
２１      基板
２２      マジックテープ
【図１】
2011078714.tif 000003
【図２】
2011078714.tif 000004
【図３】
2011078714.tif 000005
【図４】
2011078714.tif 000006
【図５】
2011078714.tif 000007